(57)【要約】【課題】ブラシやパッド等の清掃体への食い付きと取り外しをスムーズに、且つ、容易に行うことができるだけではなく、取付後は、取付状態が簡単に緩まないように構成した清掃機用ブラシ又はパッド等の取付装置を提供する。【解決手段】ホルダー板３の取付面に、清掃体４の回転に従って清掃体４側に食い付く構造の突起爪１２を多数設けると共に、この突起爪１２に断面略矢尻形状に形成した戻り防止爪１２Ｃを設ける。【選択図】　　　図９
2004113700.tif 000002
【特許請求の範囲】
【請求項１】
ホルダー板の取付面に締付具を用いてブラシ又はパッド等の清掃体を取付け、この清掃体を回転駆動手段によって回転することによって床面や壁面等を清掃するように構成した清掃機であり、且つ、上記ホルダー板の取付面に清掃体の回転に従って清掃体側に食い付く構造の突起爪を多数突設して成る清掃機用ブラシ又はパッド等の取付装置であって、
略爪状に尖らせた上記各突起爪の全体を、清掃体側に食い込ませる先端部爪先側を清掃体の回転方向に向けて屈曲した断面略Ｌ字形状又は断面略く字形状に形成すると共に、上記先端部爪先部分に断面略矢尻形状に形成した戻り防止爪を設けたことを特徴とする清掃機用ブラシ又はパッド等の取付装置。
【請求項２】
前記戻り防止爪の左右に突出した先端係止部を尖らせると共に、これ等左右の先端係止部を先端に行くに従って次第に突起爪の根元方向に向けて丸めた断面略円弧形状に形成したことを特徴とする請求項１に記載の清掃機用ブラシ又はパッド等の取付装置。
【請求項３】
一方の面に前記の突起爪を多数突設して成る複数枚のピース片を、前記ホルダー板の取付面に並べて取付けるように構成したことを特徴とする請求項１又は２に記載の清掃機用ブラシ又はパッド等の取付装置。
【請求項４】
一方の面に突起爪を多数突設したピース片の他方の面に、前記ホルダー板に設けたピース片取付穴に対して着脱自在な取付突子を設けたことを特徴とする請求項３に記載の清掃機用ブラシ又はパッド等の取付装置。
【発明の詳細な説明】
【０００１】
【発明の属する技術分野】
本発明は、操作ハンドルを押して走行させながらブラシやパッドをモータで高速回転して、床面の艶出しや壁面の清掃を行う清掃機（スクラバーやポリッシャー等）の技術分野に属するものであって、具体的には、これ等の清掃機に用いて好適なブラシ又はパッド等の取付装置に関するものである。
【０００２】
【従来の技術】
ブラシやパッド等の清掃体を、モータによって高速回転されるホルダー板に取付けるブラシ又はパッド等の取付装置に関しては、従来より、ホルダー板の取付面に、清掃体の回転に従って清掃体の取付面側に食い付く構造の突起爪を多数並設した構造のものが知られている。（例えば、特許文献１参照）
【０００３】
【特許文献】
特開２０００−１５７３３９号公報
【０００４】
【発明が解決しようとする課題】
上記特許文献１に記載の取付装置を用いた場合には、ブラシ又はパッド等の清掃体の上面に多数の突起爪が食い込んでいて、清掃体を床面等に押し付けて清掃作業を行えば行う程、その食い付きをより強固にするため、清掃体が高速回転中に遠心力によって外方にズレて外周のカバー体やスカートに接触することがなく、清掃体がカバー体やスカートを破損したり、清掃体の締付けが緩んで高速回転に支障を及ぼすと言った事故や故障を未然に防止できると共に、この強固な食い付き状態も、ホルダー円板を逆回転するだけで簡単に外すことができるため、清掃体の取外しや交換作業等を極めて簡単に行うことを可能にする利点を備えている。
【０００５】
しかし、取外しが簡単であると言うことは、反面、振動等により緩みやすいといった欠点を有する問題があった。
【０００６】
従って本発明の技術的課題は、ブラシやパッド等の清掃体への食い付きと取り外しをスムーズに、且つ、容易に行うことができるだけではなく、取付後は、取付状態が簡単に緩まないように構成した清掃機用ブラシ又はパッド等の取付装置を提供することである。
【０００７】
【課題を解決するための手段】
上記の技術的課題を解決するために本発明で講じた手段は以下の如くである。
【０００８】
（１）　前記請求項１に記載の如く、ホルダー板の取付面に締付具を用いてブラシ又はパッド等の清掃体を取付け、この清掃体を回転駆動手段によって回転することによって床面や壁面等を清掃するように構成した清掃機であり、且つ、上記ホルダー板の取付面に清掃体の回転に従って清掃体側に食い付く構造の突起爪を多数突設して成る清掃機用ブラシ又はパッド等の取付装置であって、略爪状に尖らせた上記各突起爪の全体を、清掃体側に食い込ませる先端部爪先側を清掃体の回転方向に向けて屈曲した断面略Ｌ字形状又は断面略く字形状に形成すると共に、上記先端部爪先部分に断面略矢尻形状に形成した戻り防止爪を設けたことを特徴とする。
【０００９】
（２）　前記請求項２に記載の如く、前記戻り防止爪の左右に突出した先端係止部を尖らせると共に、これ等左右の先端係止部を先端に行くに従って次第に突起爪の根元方向に向けて丸めた断面略円弧形状に形成したことを特徴とする。
【００１０】
（３）　前記請求項３に記載の如く、一方の面に前記の突起爪を多数突設して成る複数枚のピース片を、前記ホルダー板の取付面に並べて取付けるように構成したことを特徴とする。
【００１１】
（４）　前記請求項４に記載の如く、一方の面に突起爪を多数突設したピース片の他方の面に、前記ホルダー板に設けたピース片取付穴に対して着脱自在な取付突子を設けたことを特徴とする。
【００１２】
前記（１）で述べた手段によれば、突起爪の先端部分に断面略矢尻形状に形成した戻り防止爪を設けたから、ブラシやパッド等の清掃体を取付けた後、清掃体を回転させると、突起爪がしっかり清掃体側に食い付いて固定されると共に、上記矢尻形状に形成した戻り防止爪の食い込みによって、突起爪が清掃体側から容易に抜けなくなり、また、作業中に清掃体が振動等によって緩むことがなく、しっかりと取付け状態を維持することができる。
尚、清掃体を突起爪から外す場合には、清掃体を逆方向に回転しながら突起爪から外すように引っ張れば、突起爪の清掃体に対する食い込みを容易に外して、簡単に取り外すことを可能にする。
【００１３】
前記（２）で述べた手段によれば、断面略矢尻形状に形成した戻り防止爪の先端係止部を尖らせると共に、その先端係止部を断面略円弧形状に形成しているため、清掃体を突起爪に取付ける際に、突起爪を少い力で比較的簡単に清掃体側に食い込ませることを可能にする。
【００１４】
前記（３）と（４）で述べた手段によれば、多数の突起爪を突設した複数枚のピース片を、ホルダー板の取付面に並べて取付けることによって、ホルダー板の取付面に清掃体を取付けるための多数の突起爪を設けることができるため、製作や組立てが簡単で、メンテナンスや交換等を容易に行うことを可能にする。
【００１５】
【発明の実施の形態】
以下に、本発明に係る清掃機用ブラシ又はパッド等の取付装置の実施の形態を図面と共に説明すると、図１は本発明を実施した清掃機の一例（床面艶出機）を示した側面図、図２はその平面図、図３は要部を拡大して示した一部断面側面図であって、これ等の図面に於いて、夫々符号１で全体的に示したのは本発明を実施した床面艶出機で、２はメインカバー、２Ｔはフロントカバー、２Ｋはフロントカバー２Ｔの内部に収めたシャーシ、５はフロントカバー２Ｔの底面に設けたパットカバー、４はこのパットカバー５の内部に回転自在に設けたそれ自体通気性を備えた床面艶出し用のパッド（以下清掃体と言う）であって、メインカバー２の内部に設けたモータ２Ｍの回転軸２Ｓが駆動回転すると、清掃体４が連動して高速回転する仕組に成っている。
【００１６】
図３に於いて、２Ｖは上記モータ２Ｍの回転軸２Ｓに取付けたホルダー金具、３はこのホルダー金具２Ｖに取付けたボルト２Ｗ…を用いて取付けたホルダー板（ホルダー円板）で、このホルダー板３の取付面（底面）に後述する本発明の取付装置を講じることによって、上記の清掃体４がホルダー板３の取付面に対して取り外し自在に装着される仕組に成っている。
【００１７】
また、各図に於いて２Ａと２Ｂはフロントカバー２Ｔの底面に設けた前輪と後輪で、７はメインカバー２の後部上面に突出した固定脚杆６に軸６Ａを用いて角度調節自在に取付けた操作ハンドル、８は操作ボックス、８Ａは操作レバーであって、操作ハンドル７は角度調節用のレバ−（図示省略）を操作することによって、図１に示すようにメインカバー２（艶出機本体）に対して角度を自由に調節できる仕組に成っている。
【００１８】
図４は上記ホルダー板３の平面図、図５はその正断面図を示したものであって、これ等図４と図５並びに前述した図３に於いて、３Ａはホルダー板３の中心部に設けたセンター穴で、３Ｎはセンター穴３Ａの内側面に形成した取付用の雌ネジ、３Ｆ…はホルダー板３の底面に突設したロック爪、３Ｗ…は前記取付ボルト２Ｗ用の挿通穴、３Ｒ…は底面に多数の突起爪１２…を突設したピース片１１を取付けるための取付穴を示す。
【００１９】
図６は、上記のピース片１１を拡大して示した底面図であって、ピース片１１の底面には後述する構造の突起爪１２…が多数突設されており、また、上面には前記ホルダー板３の取付穴３Ｒに対して着脱自在に構成した取付突子１１Ｒ…が突設されている。また、上記のホルダー板３は、図４に示すようにホルダー板３の底面に円周方向に並べて設けた複数の取付部３Ｈ…に対して、夫々が装着自在な構成に成っていて、このホルダー板３の底面に取付けられる前述した清掃体４は、前記センター穴３Ａにネジ込まれる締付具、即ち、取付けネジ具４Ｚ（図３）による締付けと、前記係止爪３Ｆ…及び各ピース片１１…の突起爪１２…による係止作用とによって、ホルダー板３に対して一体に取付けられる仕組に成っている。
【００２０】
図７は上記突起爪１２の全体を示した斜視図で、図８（イ）はその側面図、　（ロ）は正面図、（ハ）は平面図、図９は突起爪１２…が清掃体４側に挿通係止している状態を示した要部の拡大断面図であって、これ等の図面に示すようにピース片１１の底面に並べて突設した各突起爪１２は、本体１２Ａを爪状に尖らせた形状に形成すると共に、その全体は、清掃体４側に食い込ませる先端部爪先１２Ｂ側を、図６並びに図９に示すように清掃体４の回転方向に向けて屈曲した断面略Ｌ字形状、又は、断面略く字形状に形成されている。
【００２１】
更に図中、１２Ｄと１２Ｅは突起爪１２の緩やかに屈曲形成された先端部外側面と内側面、１２Ｆは内側面１２Ｅの根元側に突設した突起爪１２の挿入係止の安定と、挿入し過ぎの防止を図るストッパー爪を示し、更に符号１２Ｃで全体的に示したのは、上記先端部爪先１２Ｂの部分に一体形成した戻り防止爪を示す。
【００２２】
上記の戻り防止爪１２Ｃは、前記先端部爪先１２Ｂの左右両側に突設した先端係止部１２Ｃ′，１２Ｃ′を、根端部側を幅広く、先端に行くに従って次第に細く尖らせると共に、全体を本体１２Ａの根元側に向けて断面略円弧状に丸めた略矢尻形状に形成されている。
【００２３】
本発明に係る清掃機用ブラシ又はパッド等の取付装置は以上述べた如き構成であるから、この取付装置を用いてブラシやパッドの如き清掃体４をホルダー板３側に取付けるには、先ず、ホルダー板３の底面に設けた各取付部３Ｈ…に対して、多数の突起爪１２…を突設したピース片１１…を各々取付け、次いで、図３に示したモータ２Ｍの回転軸２Ｓに取付けられているホルダー金具２Ｖに、取付けボルト２Ｗ…を用いてこのホルダー板３を固定する。
【００２４】
次に、清掃体４のセンター穴（図示省略）に取付けネジ具４Ｚを下から嵌込み、更に、この取付けネジ具４Ｚの頭部を少しホルダー板３のセンター穴３Ａにネジ込んで、取付けネジ具４Ｚを完全に締付ける前の状態で清掃体４を上記各突起爪１２…が食い込まない方向、即ち、清掃回転とは逆の方向に空回りさせることによって、清掃体４の中心位置を調整する。
【００２５】
中心位置が定まったら、取付けネジ具４Ｚを完全に締付けてホルダー板３との間で清掃体４の中心部分を上下から挟圧して固定するのであるが、この時、清掃体４の上面側にはホルダー板３の係止爪３Ｆ…と、上記ピース片１１…の多数の突起爪１２…が食い込むため、清掃体４を強い力で挟持固定することができる。更にこの状態で清掃体４を床面や壁面等に押し付けながら駆動回転させると、図９で矢印が示すように各突起爪１２…の先端部爪先１２Ｂが不織布で造った清掃体４の上部取付面側に食い付くため、清掃体４の取付けを更に強固な状態に維持することができる。
【００２６】
また、各突起爪１２…の先端部爪先１２Ｂの部分には、先端係止部１２Ｃ′，１２Ｃ′を左右両側に突出した断面略矢尻形状の戻り防止爪１２Ｃが一体形成されているため、清掃体４がこの戻り防止爪１２Ｃに引掛かって抜け難くなって
、作業中に清掃体４が振動等によって取付けが緩んだり、取付け位置がずれたりすることがなく、固定状態を確実に維持することができる。
尚、上記の各突起爪１２を清掃体４に食い込ませる場合に、上記各戻り防止爪１２Ｃは、左右に突設した先端係止部１２Ｃ′，１２Ｃ′を本体１２Ａの根元側に向けて丸めた形状にしているため、突起爪１２をこの戻り防止爪１２Ｃに邪魔されることなく容易に清掃体４側に食い込ませることができる。
【００２７】
以上の如く取付けた清掃体４をホルダー板３側から取り外すには、取付けネジ具４Ｚの締付けを緩めた後、清掃体４を各突起爪１２…が食い付いている方向とは逆の方向に少し回転すれば、各突起爪１２…の食い込みを外して清掃体４を容易に取り外すことができる。
【００２８】
次に、上述した本発明を実施する清掃機（床面艶出機）の構成を図面と共に更に詳しく説明すると、図３に於いて、５Ａは後述するダストボックスによって集塵された後の除塵空気を清掃体用カバー５の内部に取り込むために、清掃体用カバー５の上面部分に開口した除塵空気導入口で、５Ｘはこの導入口５の部分に上向きに取付けた導入ダクト、５Ｂは上向きに開口した導入ダクト５Ｘの口に取付けたカフスを示す。
【００２９】
図１乃至図３に於いて、９は前記メインカバー２又は清掃体用カバー５の後部上面に凹設したダストボックス用の嵌込室、９Ａはこの嵌込室９を凹設したメインカバー２の一側上面に、嵌込室９の一側に連設した状態で、且つ、嵌込室９よりも浅面に凹設した嵌込部であって、嵌込室９の底面部に前記導入ダクト５Ｘの口（具体的にはカフス５Ｂの口）を通して除塵空気導入口５Ａに通じる挿入孔９Ｘが開口形成され、また、上記嵌込部９Ａの先端側底面部には、前記及びダスト気流排出ダクト５Ｙの口（具体的にはカフス５Ｙ′の口）を通して清掃体用カバー５の旋回気流排出口（図示省略）に通じる挿入穴９Ｚが開口形成されている。
【００３０】
また、符号１０で全体的に示したのはダストボックスで、このダストボックスは断面略円筒状に形成した上部蓋体１０Ｓ及び下部本体１０Ｔの２分割構成に成っていて、上部蓋体１０Ｓは下部本体１０Ｔの上端口に対して着脱自在に構成され、下部本体１０Ｔの内部がダスト貯留室に成っている。
【００３１】
１０ｂは上部蓋体１０Ｓの外周接線部に連設したダスト気流導入筒、１０ｂ′は下向きに略直角に屈曲したダスト気流導入筒１０ｂの先端に設けた旋回気流受け入れ口、１０ｄは下部本体１０Ｔの内部中央部に縦設したパイプ管で、このパイプ管１０ｄの上下両端部は、ダスト貯留室の内部と、下部本体１０Ｔの底部の双方に突出開口され、この底部側に突出開口されたパイプ管１０ｄの下端口が、除塵空気送出口１０ｄ′に成っている。
【００３２】
１０ｅ…は上記下部本体１０Ｔの内部に、中央に縦設したパイプ管１０ｄを中心にしてその放射方向に設けた旋回気流減速用の板片で、図面には旋回しながら流入して来るダスト気流の減速と分離を可能にするために、内側縁を略Ｖ字状にカットした複数枚の板片１０ｅ…を設ける構成が示されているが、これは実施の一例であって、板片１０ｅの形状と取付枚数は任意とする。
また、上記下部本体１０Ｔの全体又は一部は、貯留室に溜ったダストを外から確認できるように、内部が透けて見える各種プラスチック材等の素材を用いて構成しているが、このプラスチック材の種類も任意とする。
【００３３】
以上の如く構成したダストボックス１０は、下部本体１０Ｔ側が図３に示すように前述した嵌込室９内に対して着脱自在（嵌め外し自在）であって、嵌込むとパイプ管１０ｄの下端口、即ち、除塵空気送出口１０ｄ′が挿入穴９Ｘを通して導入ダクト５Ｘのカフス５Ｂに嵌込まれて、清掃体用カバー５の除塵空気導入口５Ａに連通接続され、これと同時に、下部本体１０Ｔに取付けた上部蓋体１０Ｓのダスト気流導入筒１０ｂが嵌込部９Ａに嵌込まれ、且つ、その先端口である旋回気流受入れ口１０ｂ′が挿入穴９Ｚを通してダスト気流排出ダクト５Ｙのカフス５Ｙ′に嵌込まれて、清掃体用カバー５の旋回気流排出口に連通接続する仕組に成っている。
【００３４】
この様にダストボックス１０を装着して運転を行うと、モータ２Ｍによって高速回転される清掃体４が床面や壁面の清掃を行う一方、この清掃によって生じた各種のダスト類を、清掃体４の回転によって清掃体用カバー５内に発生した旋回気流に乗せて、清掃体用カバー５に設けた旋回気流排出口より、図３に示したガイド用ダクト５Ｒ及びダスト気流排出ダクト５Ｙを通してダストボックス１０内に送り込んで、集塵することができる。
【００３５】
尚、上述した床面艶出機の構成は実施の一例であって、本発明は上記構成以外の床面艶出機や床面洗浄機或は床面清掃機と言った各種の清掃機に実施可能であることは勿論である。
【００３６】
【発明の効果】
以上述べた次第で、本発明に係る清掃機用ブラシ又はパッド等の取付装置によれば、床面や壁面等の清掃に用いるブラシ或はパッド等の清掃体を、ホルダー板側に対して簡単に取付けて、床面や壁面等の清掃作業を支障無く進めることができると共に、高速回転によって清掃体の取付けに緩みが生じることがないため、床面や壁面等の清掃を安全且つ確実に行うことができる利点を備えている。
【図面の簡単な説明】
【図１】本発明に係る取付装置を備えた床面艶出機の一例を示した側面図。
【図２】図１に示した床面艶出機の平面図。
【図３】同じく本発明に係る取付装置を備えた床面艶出機の要部を拡大して示した一部断面側面図。
【図４】本発明で用いるホルダー板を拡大して示した平面図。
【図５】図４に示したホルダー板の正断面図。
【図６】多数の突起爪を設けたピース片を拡大して示した底面図。
【図７】突起爪を拡大して示した斜視図。
【図８】（イ）は突起爪の側面図、（ロ）はその正面図、（ハ）はその平面図。
【図９】清掃体に対する突起爪の係合状態を説明した拡大断面図。
【符号の説明】
１　　　　　　　床面艶出機
２Ｍ　　　　　　モータ
３　　　　　　　ホルダー板
４　　　　　　　ブラシ又はパッド等の清掃体
４Ｚ　　　　　　取付けネジ具
１１　　　　　　ピース片
１１Ｒ　　　　　取付突子
１２　　　　　　突起爪
１２Ａ　　　　　本体
１２Ｂ　　　　　先端部爪先
１２Ｃ　　　　　戻り防止爪
１２Ｃ′　　　　先端係止部
【図１】
2004113700.tif 000003
【図２】
2004113700.tif 000004
【図３】
2004113700.tif 000005
【図４】
2004113700.tif 000006
【図５】
2004113700.tif 000007
【図６】
2004113700.tif 000008
【図７】
2004113700.tif 000009
【図８】
2004113700.tif 000010
【図９】
2004113700.tif 000011